(57)【要約】【課題】従来のデジタル放送受信機は、緊急放送受信中に停電が起きるとデジタル放送受信機は起動しなくなり、緊急警報放送を受信できなくなってしまうため、災害発生後の情報を得ることができない。【解決手段】マイコン２７は緊急放送受信時に、緊急放送であることを示す記述子（緊急警報放送用起動フラグ）を不揮発性メモリ２４に記憶する。停電が発生したときは、電源切換装置２６がマイコン２７の動作電源を交流電源３からバッテリ２５に切り換えてマイコン２７の動作状態を確保すると共に、マイコン２７が不揮発性メモリ２４の記憶情報を読み出す。不揮発性メモリ２４から記述子が読み出されるときは、マイコン２７は停電前に緊急放送受信中であったと判断して、再度受信中のデジタル放送から上記記述子が抽出されるかどうか確認し、抽出される場合に緊急放送を自動的に選局受信する。【選択図】図１
2008278094.tif 000002
【特許請求の範囲】
【請求項１】
交流電源を動作電源とし、緊急警報放送中であるかを知らせる記述子が放送番組情報に多重されるデジタル放送を受信するデジタル放送受信機において、
前記デジタル放送を受信する受信手段と、
前記受信手段により受信されたデジタル放送信号中から前記記述子を抽出する記述子抽出手段と、
抽出された前記記述子が書き込まれる不揮発性の記憶手段と、
前記交流電源からの電源電圧に基づいて停電の発生を常時監視し、停電発生時にその停電を検知する停電検知手段と、
前記停電の検知時に動作電源を前記交流電源からバッテリに切り換える電源切換手段と、
前記停電検知手段により前記停電が検知される前に前記記述子抽出手段により前記記述子が抽出されたときは、前記緊急放送を自動的に選局して表示部に緊急放送情報の画像を強制的に表示させる第１の自動選局手段と、
前記停電検知手段により前記停電が検知されたときに、前記記憶手段から前記記述子を読み出す読み出し手段と、
前記記憶手段から読み出された前記記述子が前記緊急放送中であることを示しているときは、前記記述子抽出手段により再度前記緊急放送中であることを示す前記記述子が抽出されるか確認し、再度前記記述子が抽出されるときは、前記緊急放送を自動的に選局して前記表示部に緊急放送情報の画像を強制的に表示させる第２の自動選局手段と
を有することを特徴とするデジタル放送受信機。
【発明の詳細な説明】
【技術分野】
【０００１】
本発明はデジタル放送受信機に係り、特に災害時の緊急警報放送を受信するデジタル放送受信機に関する。
【背景技術】
【０００２】
図５は従来のデジタル放送受信機の一例のブロック図を示す。同図において、デジタル放送の電波はアンテナ１で受信されてチューナ１１に供給され、ここで選局及び復調されて得られたトランスポートストリームが多重分離部１２に供給される。多重分離部１２は、入力されたトランスポートストリームから映像ストリームや音声ストリームなどに分離され、分離された映像ストリームや音声ストリームは、デコーダ１３で復号され、モニタ２などへ出力される。このデジタル放送受信機の全体を制御するマイクロコンピュータ（以下、マイコンと略す）１４は交流電源３から電源の供給を受けている。なお、チューナ１１、多重分離部１２、デコーダ１３及びマイコン１４はテレビチューナ基板１０に搭載されている。
【０００３】
近年開始されたこのようなデジタル放送受信機で受信されるデジタル放送は、映像情報や音声情報のほかに緊急警報放送（災害速報など）が放送されているかを知らせる情報（以下、緊急警報放送用起動フラグ）も同時に多重化して放送している。この緊急警報放送用起動フラグは緊急警報放送が放送されている場合、デジタル放送受信機を自動起動させることを指示するフラグである。
【０００４】
次に、この緊急警報放送時の従来のデジタル放送受信機の動作を、図６のフローチャートを併せ参照して説明する。まず、図５のデジタル放送受信機はデジタルテレビ信号を受信した後（ステップＳ１１）、チューナ１１及び多重分離部１２を経由して分離されたストリーム中の伝送制御信号（ＴＭＣＣ;Transmission & Multiplexing Configuration Control）からマイコン１４が緊急警報用起動フラグを抽出する（ステップＳ１２）。続いて、マイコン１４はこの緊急警報放送用起動フラグがオフ（ＯＦＦ）であれば、再びステップＳ１１に戻ることで、緊急警報用起動フラグがオン（ＯＮ）であるかを周期的に監視する。
【０００５】
この緊急警報用起動フラグがオン（ＯＮ）であった場合（ステップＳ１３）、デジタル放送受信機の電源がオフ（ＯＦＦ）であれば電源を自動起動する（ステップＳ１４）。続いて、マイコン１４は受信信号中の番組対応表（ＰＭＴ;Program Map Table）に含まれている緊急情報記述子を抽出する（ステップＳ１５）。
【０００６】
続いて、マイコン１４は緊急情報記述子に含まれる、緊急警報信号の本放送が放送中であるか否かを示したｓｔａｒｔ＿ｅｎｄ＿ｆｌａｇが”１”（ＯＮ）であるかを判断する（ステップＳ１６）。”１”である場合は、緊急情報記述子に含まれる、地域情報を地域符号で示したａｒｅａ＿ｃｏｄｅが、ユーザーが入力したａｒｅａ＿ｃｏｄｅと一致するかを判断する（ステップＳ１７）。一致した場合は視聴中のチャンネルのサービスＩＤと緊急情報記述子に含まれる、緊急警報放送が放送されているサービスＩＤが記述されているｓｅｒｖｉｃｅ＿ｉｄとが一致しないときｓｅｒｖｉｃｅ＿ｉｄに選局を行う（ステップＳ１８）。
【０００７】
これにより、ユーザーは緊急警報放送を自動的に視聴することができ、緊急警報情報を得ることができる。なお、マイコン１４がステップＳ１６でｓｔａｒｔ＿ｅｎｄ＿ｆｌａｇが”１”（ＯＮ）でないと判断したときは、緊急警報信号の本放送が放送中でないためステップＳ１１の処理に戻り、また、ステップＳ１７で一致しないと判断したときも、緊急警報の対象地域でないのでステップＳ１１の処理に戻る。
【０００８】
また、予め指定された条件に対応する字幕又はスーパー放送の受信を検知した場合、デジタル放送受信機の使用者に注意喚起を促す手段を有するデジタル放送受信機も従来知られている（例えば、特許文献１参照）。この従来のデジタル放送受信機では、受信機の提示する放送を視聴していなくても、地震放送などの緊急情報を迅速に知ることができる。
【０００９】
【特許文献１】特開２００６−２４６６５２号公報
【発明の開示】
【発明が解決しようとする課題】
【００１０】
災害は一時的なものでなく、時間差で訪れる二次災害の被害も考えられ、災害発生後の情報を得る手段を確保する必要がある。しかしながら、上記の緊急警報放送が放送される状況は、大地震や津波などの大災害が発生したときであるため、大災害による電源系統のトラブルで停電が超きる可能性がある。停電が起きるとデジタル放送受信機は起動しなくなり、緊急警報放送を受信できなくなってしまう。特許文献１記載のデジタル放送受信機も同様である。
【００１１】
本発明は上記の点に鑑みなされたもので、交流電源の供給が途絶えてもデジタル放送を視聴できるデジタル放送受信機を提供することを目的とする。
【課題を解決するための手段】
【００１２】
上記の目的を達成するため、本発明は、交流電源を動作電源とし、緊急警報放送中であるかを知らせる記述子が放送番組情報に多重されるデジタル放送を受信するデジタル放送受信機において、デジタル放送を受信する受信手段と、受信手段により受信されたデジタル放送信号中から記述子を抽出する記述子抽出手段と、抽出された記述子が書き込まれる不揮発性の記憶手段と、交流電源からの電源電圧に基づいて停電の発生を常時監視し、停電発生時にその停電を検知する停電検知手段と、停電の検知時に動作電源を交流電源からバッテリに切り換える電源切換手段と、停電検知手段により停電が検知される前に記述子抽出手段により記述子が抽出されたときは、緊急放送を自動的に選局して表示部に緊急放送情報の画像を強制的に表示させる第１の自動選局手段と、停電検知手段により停電が検知されたときに、記憶手段から記述子を読み出す読み出し手段と、記憶手段から読み出された記述子が緊急放送中であることを示しているときは、記述子抽出手段により再度緊急放送中であることを示す記述子が抽出されるか確認し、再度記述子が抽出されるときは、緊急放送を自動的に選局して表示部に緊急放送情報の画像を強制的に表示させる第２の自動選局手段とを有することを特徴とする。
【００１３】
この発明では、緊急放送受信時には不揮発性の記憶手段に緊急放送を示す記述子を書き込んでおき、緊急放送受信後に停電により交流電源が途絶えてしまっても、動作電源をバッテリに切り換えて動作電源を確保すると共に、停電直後にその記憶手段から緊急放送を示す記述子が読み出されることで停電前に緊急放送受信中であったことを確認することができ、また停電前に緊急放送受信中であったときには、停電後も再度緊急放送中であることを示す記述子が抽出されるか確認し、再度記述子が抽出されるときに限り、緊急放送を自動的に選局して表示部に緊急放送情報の画像を強制的に表示させることができる。
【発明の効果】
【００１４】
本発明によれば、緊急放送受信中に交流電源の供給が停電により途絶えてしまっても、動作電源をバッテリに切り換えて動作電源を確保すると共に、停電後も再度緊急放送中であることを示す記述子が抽出されるか確認するようにしたため、停電後も緊急放送中であるときは緊急放送を自動的に選局して表示部に緊急放送情報の画像を強制的に表示させることができる。
【発明を実施するための最良の形態】
【００１５】
次に、発明を実施するための最良の形態について図面と共に詳細に説明する。図１は本発明になるデジタル放送受信機の一実施の形態のブロック図を示す。同図中、図５と同一構成部分には同一符号を付し、その説明を省略する。図１に示すように、本実施の形態では、テレビチューナ基板２０上に、チューナ２１、多重分離部２２、デコーダ２３、不揮発性メモリ２４、バッテリ２５、電源切換装置２６及びマイコン２７が搭載されている。
【００１６】
多重分離部２２で分離されたＴＭＣＣからマイコン２７が緊急警報放送用起動フラグの情報を抽出して不揮発性メモリ２４に書き込む。マイコン２７は交流電源３から直接交流電源電圧が印加される第１の電源入力端子ＩＮ１と、交流電源３からの交流電源電圧が、内部にコンデンサを含む電源切換装置２６を介して印加される第２の電源入力端子ＩＮ２とを有している。
【００１７】
マイコン２７の動作用電源には第２の電源入力端子ＩＮ２の入力電源電圧を使用する。マイコン２７は、第１の電源入力端子ＩＮ１に印加される交流電源電圧の振幅が所定の閾値以下となった時に、停電状態と判断する。マイコン２７が停電状態を判断すると、マイコン２７が電源切換装置２６を制御して、マイコン２７の動作用電源を交流電源３からバッテリ２５に切り換える処理を行う。
【００１８】
次に、緊急警報放送時の本実施の形態のデジタル放送受信機の動作を、図２のフローチャートを併せ参照して説明する。図２中、図６と同一処理ステップには同一符号を付してある。まず、図１のデジタル放送受信機はチューナ２１にてデジタルテレビ信号を受信した後（ステップＳ１１）、チューナ１１及び多重分離部１２を経由して分離されたストリーム中のＴＭＣＣからマイコン２７が緊急警報用起動フラグを抽出する（ステップＳ１２）。
【００１９】
続いて、マイコン２７は、不揮発性メモリ２４に緊急警報用起動フラグを書き込む（ステップＳ１９）。続いて、マイコン２７はこの緊急警報放送用起動フラグがオフ（ＯＦＦ）であれば、再びステップＳ１１に戻ることで、緊急警報用起動フラグがオン（ＯＮ）であるかを周期的に監視する。一方、この緊急警報用起動フラグがオン（ＯＮ）であった場合（ステップＳ１３）、デジタル放送受信機の電源がオフ（ＯＦＦ）であればデジタル放送受信機を自動起動する（ステップＳ１４）。この自動起動によって、モニタ２が受信したテレビ放送番組の画像の表示を開始する。以下、マイコン２７はステップＳ１５以降の従来と同様の処理を行う。
【００２０】
次に、本実施の形態による電源切換の動作を図３のフローチャートと共に説明する。マイコン２７は第２の電源入力端子ＩＮ２に入力される、電源切換装置２６により選択された交流電源３からの電源電圧を動作電源として動作しており、またマイコン２７は常に第１の電源入力端子ＩＮ１に印加される交流電源３からの交流電圧の振幅が所定の閾値以下となったかどうか、すなわち災害等により停電状態となったかどうかを監視している（ステップＳ２１）。
【００２１】
この状態でマイコン２７は停電状態を検出した場合、電源切換装置２６は内部にコンデンサを有しているため、その出力電源電圧の振幅は停電状態検出時点から緩やかに低下していき、ある時間経過して上記の所定の閾値に達するので、停電状態検出時点から所定の閾値に達するまでの期間内の電源切換装置２６の出力電力でマイコン２７が電源切換装置２６に交流電源３からバッテリ２５に電源を切り換えるように指示をする（ステップＳ２２）。これにより、停電してもマイコン２７は第２の電源入力端子ＩＮ２に入力される、電源切換装置２６により選択されたバッテリ２５からの電源電圧を動作電源として動作を続ける。
【００２２】
次に、本実施の形態の上記停電による電源切換後の動作を図４のフローチャートと共に説明する。バッテリ２５からの電源電圧を動作電源としているマイコン２７は、図１の不揮発性メモリ２４に保持している緊急警報放送用起動フラグがオン（ＯＮ）であるか、オフ（ＯＦＦ）であるか判定し（ステップＳ３１）、ＯＮだった場合はデジタル放送受信機を自動起動して（ステップＳ３２）、受信したテレビ放送番組のモニタ２による画像の表示を開始させる。
【００２３】
続いて、マイコン２７は図１のチューナ１１及び多重分離部１２を経由して分離されたストリーム中からＴＭＣＣを取得し（ステップＳ３３）、そのＴＭＣＣから緊急警報用起動フラグを抽出して、その緊急警報用起動フラグがオンかオフかを判定する（ステップＳ３４）。緊急警報用起動フラグがＯＦＦだった場合は、不揮発性メモリ２４に記憶されている緊急警報用起動フラグをＯＦＦに更新した後（ステップＳ３６）、緊急警報放送が既に終了しているので、電源を切断する（ステップＳ３７）。このステップＳ３７の電源の切断は、モニタ２によるテレビ放送番組の画像表示を映さない状態とすることを意味する。
【００２４】
一方、ステップＳ３４で緊急警報用起動フラグがＯＮと判定された場合は、まだ緊急警報放送が行われているので、マイコン２７は受信信号中の番組対応表（ＰＭＴ;Program Map Table）を取得し（ステップＳ３５）、そのＰＭＴに含まれている緊急情報記述子中の、緊急警報信号の本放送が放送中であるか否かを示したｓｔａｒｔ＿ｅｎｄ＿ｆｌａｇが”１”（ＯＮ）であるかを判断する（ステップＳ３７）。”１”（ＯＮ）である場合は、緊急情報記述子に含まれる、地域情報を地域符号で示したａｒｅａ＿ｃｏｄｅが、ユーザーが入力したａｒｅａ＿ｃｏｄｅと一致するかを判断する（ステップＳ３８）。
【００２５】
一致した場合は視聴中のチャンネルのサービスＩＤと緊急情報記述子に含まれる、緊急警報放送が放送されているサービスＩＤが記述されているｓｅｒｖｉｃｅ＿ｉｄとが一致しないときｓｅｒｖｉｃｅ＿ｉｄに選局を行う（ステップＳ３９）。これにより、ユーザーは緊急警報放送を自動的に視聴することができ、緊急警報情報を得ることができる。
【００２６】
なお、マイコン２７がステップＳ３７でｓｔａｒｔ＿ｅｎｄ＿ｆｌａｇが”０”（ＯＦＦ）であると判断したときは、緊急警報信号の本放送が放送中でないためステップＳ４０に進んで電源を切断し、また、ステップＳ３８で一致しないと判断したときも、緊急警報の対象地域でないのでステップＳ４０に進んで電源を切断する。
【００２７】
なお、本発明は以上の実施の形態に限定されるものではなく、例えば、図２のステップＳ１２〜Ｓ１８の処理や図３及び図４の各処理をマイコン２７にて実行させる緊急警報放送受信用プログラムに適用することも可能である。
【図面の簡単な説明】
【００２８】
【図１】本発明のデジタル放送受信機の一実施の形態のブロック図である。
【図２】緊急警報放送時の本発明のデジタル放送受信機の一実施の形態の動作説明用フローチャートである。
【図３】本発明の電源切換時の動作説明用フローチャートである。
【図４】本発明による電源切換後の動作説明用フローチャートである。
【図５】従来のデジタル放送受信機の一例のブロック図である。
【図６】緊急警報放送時の従来のデジタル放送受信機の一例の動作説明用フローチャートである。
【符号の説明】
【００２９】
１  アンテナ
２  モニタ
３  交流電源
２１  チューナ
２２  多重分離部
２３  デコーダ
２４  不揮発性メモリ
２５  バッテリ
２６  電源切換装置
２７  マイクロコンピュータ（マイコン）
ＩＮ１、ＩＮ２  電源入力端子
【図１】
2008278094.tif 000003
【図２】
2008278094.tif 000004
【図３】
2008278094.tif 000005
【図４】
2008278094.tif 000006
【図５】
2008278094.tif 000007
【図６】
2008278094.tif 000008